(57)【特許請求の範囲】
【請求項１】
着信情報を保持している旨を通知する位置情報を設定するための設定手段と、
着信情報を保持する着信保持手段と、
端末の位置情報を取得する位置情報取得手段と、
前記位置情報取得手段により取得された位置情報が前記設定手段により設定された位置情報に一致した場合に、前記着信保持手段に保持されている着信情報を通知する通知手段と、
を具備することを特徴とする携帯端末。
【請求項２】
着信情報を保持している旨を通知する位置情報を設定するステップと、
着信情報を保持するステップと、
端末の位置情報を取得するステップと、
前記取得された位置情報が前記設定された位置情報に一致した場合に、前記保持されている着信情報を通知するステップと、
を有することを特徴とする着信通知方法。
【発明の詳細な説明】
【０００１】
【発明の属する技術分野】
本発明は、携帯電話機等の携帯端末に係り、特に不在着信を通知する携帯端末及び着信通知方法に関する。
【０００２】
【従来の技術】
近年の携帯電話には、駅や電車内、劇場などの公共の場におけるマナーを配慮し、着信を呼び出し音でなく振動や光によって利用者に報知する機能が備えられている。
【０００３】
【発明が解決しようとする課題】
しかしながら、振動や光によって着信を報知するように設定されていた場合、携帯端末が利用者の身体に密着している場合や、利用者の視野内にある場合には問題はないが、身体から離れたところに置かれていたり、バックの中などのような利用者から見ることができないところに置かれている場合には、利用者が着信に気付かない場合が多く見受けられる。
【０００４】
上述したような場合に備えて、着信があったことをディスプレイに表示させることにより、後にディスプレイを見た利用者が迅速に相手方に連絡を取ることができるようにしている。しかし、このような表示を行っていても、利用者が意識をしてディスプレイを確認しない限りは、この表示にも気付かないこととなる。上述したように、従来の携帯端末においては、不在着信の通知がなされているにも関わらず、その通知にさえも利用者が気付かないことが多いため、不在着信を通知することによって得られる効果が薄いという問題があった。
【０００５】
本発明はこのような事情に鑑みてなされたもので、不在着信があった旨を利用者に通知する機会を増加させることにより、不在着信通知の効果を高める携帯端末及び着信通知方法を提供することを目的とする。
【０００６】
【課題を解決するための手段】
上記目的を達成するために、本発明は、着信情報を保持している旨を通知する位置情報を設定するための設定手段と、着信情報を保持する着信保持手段と、端末の位置情報を取得する位置情報取得手段と、前記位置情報取得手段により取得された位置情報が前記設定手段により設定された位置情報に一致した場合に、前記着信保持手段に保持されている着信情報を通知する通知手段と、を具備することを特徴とする携帯端末を提供する。
【０００７】
また、本発明は、着信情報を保持している旨を通知する位置情報を設定するステップと、着信情報を保持するステップと、端末の位置情報を取得するステップと、前記取得された位置情報が前記設定された位置情報に一致した場合に、前記保持されている着信情報を通知するステップと、を有することを特徴とする着信通知方法を提供する。
【００１３】
なお、本発明の携帯端末としては、いわゆるＣＤＭＡ（符号分割多重接続）方式やＰＤＣ（Personal Digital Cellular System）方式、ＰＨＳ（登録商標）方式、ＧＳＭ方式などの携帯電話機等の他、ＰＤＡ（Personal Digital Assistants：個人用情報機器）と称される携帯型の端末も含むものとする。また、ＰＤＡの場合、通信手段を内蔵していてもよく、外部から通信手段を接続するものであってもよい。
【００１４】
【発明の実施の形態】
以下、図面を参照し、本発明の一実施形態について説明する。
図１は本発明の一実施形態に係る携帯端末において、着信の通知に係る機能を抽出して示した機能ブロック図である。
図１において、符号１０は、種々の情報を保持するメモリである。このメモリ１０には、無線回線網を介して外部から着信があった場合に、その発呼元、着信時間等の情報からなる着信情報が格納される着信情報格納エリア１０ａ、着信情報を保持している旨を通知するための通知条件が格納されている通知条件格納エリア１０ｂ、着信情報格納エリア１０ａに格納されている着信情報を消去するための条件が格納されている消去条件格納エリア１０ｃ、及び着信情報を保持している旨の通知をどのようにして行うか、即ち、音声のみによって通知を行う、又は音声及びバイブレータによって通知を行う等の通知設定についての様々な設定が格納されている通知設定格納エリア１０ｄを備えている。
【００１５】
符号１６は設定部であり、利用者は着信情報を保持している旨の通知を行う条件を設定する。この設定部によって設定された条件は、上記通知条件格納エリア１０ｂに保持される。
ここでは、着信情報を保持している旨の通知を行う条件として、携帯端末が充電器に接続された場合、携帯端末が充電器からはずされた場合、特定の場所に携帯端末が存在する場合等が設定部１６から設定され、これらの条件が通知条件格納エリア１０ｂに格納されているものとする。
【００１６】
また、上記特定の場所の位置情報の登録については、以下のような操作を利用者が行うことにより、自由に設定できるものとする。
例えば、利用者は設定したい場所に実際に赴き、その場所で特定の場所の設定を指示する操作を行う。係る操作によって、位置情報取得部１１２が位置情報をＧＰＳから取得し、この位置情報が特定の場所の位置情報として通知条件格納エリア１０ｂに格納される。このような操作が利用者によって行われることにより、通知条件格納エリア１０ｂには、特定の場所の位置情報が蓄積される。なお、一度設定した位置情報を消去することももちろん可能である。
【００１７】
また、上記消去条件格納エリア１０ｃには、消去条件として、利用者が着信通知を認識した場合、着信を受けてから所定期間経過した場合、通知を所定回数行った場合等が格納されている。
また、上記通知設定格納エリア１０ｄには、光、音声、振動全てによって通知を行う旨の通知設定が格納されている。
【００１８】
なお上記メモリ１０は、ハードディスク装置や光磁気ディスク装置、フラッシュメモリ、ＲＡＭ（Random Access Memory）等の記録媒体、又はこれらの組み合わせによるコンピュータ読み取り、書き込み可能な記録媒体より構成されるものとする。
【００１９】
符号１１１は図示しない充電池へ流れる電流の向き等から当該携帯端末が充電状態か否かを判断し、判断結果を出力する充電状態検出部である。なお、充放電の検出手法については、上記例に限られず、例えば物理的スイッチを携帯電話機における充電器との接触面に設けておき、この物理スイッチの開閉状態によって充電器への接続を検知し、充放電状態を判断するようにしても良い。
【００２０】
符号１１２は、ＧＰＳ（Global Positioning System;全地球測位システム）から経度・緯度・高度からなる位置情報を取得し、取得した位置情報を出力する位置情報取得部である。
符号１１は、充電状態検出部１１１や位置情報取得部１１２から出力される情報に基づいて判断される当該携帯端末の状態が、通知条件格納エリア１０ｂに格納されている条件に一致するか否かを判断し、一致した場合に着信保持通知信号を出力する状態判断部である。
符号１２は、着信保持通知信号を受信した場合に、着信情報格納エリア１０ａに着信情報が格納されているか否かを判断し、格納されていた場合に、通知を行う旨を指示する通知指示信号を出力する着信判断部である。
【００２１】
符号１３は、通知部であり、通知指示信号を受信した場合に、通知設定格納エリア１０ｄに格納されている通知設定に基づいて、ＬＥＤ１３１、スピーカ１３２、振動モータ１３３を動作させることによって、着信があった旨を利用者に対して通知するとともに、通知を行ったことを示す信号を後述する着信情報消去部１５へ出力する。
なお、より具体的には、通知部１３は、ＬＥＤ１３１を点灯、又は点滅させることによって、視覚的に着信を通知したり、スピーカ１３２から着信メロディや報知音（ブザー）等を放音することにより音声によって着信を通知したり、振動モータ１３３を動作させることにより振動によって着信を通知する。
【００２２】
また、符号１４は着信を検出する着信検出部であり、着信があった場合に、その発信元、着信時間等を着信情報として着信情報格納エリア１０ａに格納するとともに、着信検出を通知する信号を計時部１５２へ出力する。
【００２３】
符号１５１は、利用者が携帯端末に対して何らかの動作を行った場合に、その旨を通知する信号である操作信号を出力する操作検出部である。例えば、テンキー、ファンクションキー等からなる図示しない入力部を利用者が操作した場合、折り畳み式の携帯電話機においては、折り畳んである状態から展開された場合に、この状態変化を検出して、操作信号を出力する。
符号１５２は、着信検出から所定の期間経過した場合に、計時信号を出力する計時部である。なお、所定期間の設定は、利用者によって任意に行えるものとする。
【００２４】
符号１５は消去条件格納エリア１０ｃに格納されている消去条件に基づいて、着信情報格納エリア１０ａに格納されている着信情報を消去する着信情報消去部である。
具体的には、上述したように、消去条件格納エリア１０ｃには消去条件として、利用者が着信通知を認識した場合、着信を受けてから所定期間経過した場合、通知を所定回数行った場合が格納されている。着信情報消去部１５は、操作検出部１５１から操作信号を受け取った場合に、利用者が着信通知を認識したと判断し、現在の携帯端末の状況が消去条件に一致するとして、着信情報格納エリア１０ａの着信情報を消去する。
同様に、計時部１５２から計時信号を受け取った場合に、着信を受けてから所定期間経過したと判断し、また、通知部１３から供給される信号を受信する度に内部に備えられているカウンタをインクリメントし、その値が所定数に達した場合に、通知を所定回数行ったと判断して、着信情報を消去する。
【００２５】
そして、上述したように着信情報消去部１５によって着信情報が消去されることにより、着信情報格納エリア１０ａには、常に、利用者に対して通知すべき着信情報のみが格納されていることとなる。
【００２６】
次に、上記構成からなる携帯端末の動作について説明する。
まず、状態判断部１１には、充電状態検出部１１１から当該携帯端末の充放電状態が供給されるとともに、位置情報取得部１１２から所定時間間隔で位置情報が供給される。状態判断部１１は、これらの情報に基づいて現在の端末の状態が通知条件に一致しているか否かを判断する（図２のステップＳ１）。
具体的には、状態判断部１１は、供給された情報に基づいて、携帯端末が充電器に接続されたと判断した場合、携帯端末が充電器からはずされたと判断した場合、また、特定の場所に携帯端末が存在すると判断した場合に、着信判断部１２へ着信保持通知信号を出力する。
【００２７】
着信判断部１２は、状態判断部１１から着信保持通知信号を受け取ると、着信情報格納エリア１０ａに着信情報が格納されているか否かを判断する（ステップＳ２）。この結果、着信情報が格納されていれば、着信判断部１２は通知部１３に対して通知指示信号を出力する。
通知部１３は、通知指示信号を着信判断部１２から受け取ると、通知設定格納エリア１０ｄに格納されている通知設定に基づいてＬＥＤ１３１を点滅させ、また、スピーカ１３２に対して所定の音声アナログ信号を出力することにより、所定の音声を出力させ、また、振動モータ１３３を動作させることにより、携帯端末を振動させる。これにより、光、音、振動によって、着信があることを利用者に対して通知する（ステップＳ３）。なお、通知部１３はこのようにして着信通知を行うと、着信情報消去部１５へ通知を行った旨を通知する信号を出力する。
【００２８】
上述したように、本実施形態によれば、携帯端末が予め設定されている所定の状態になった場合に、着信情報を保持していることを通知する。このように、着信があった旨を利用者に対して通知する機会を増加させることにより、利用者が不在着信に気付く機会が多くなり、不在着信通知の効果を高めることができる。なお、上述した実施形態に代わって、図２に示したステップＳ２とステップＳ３との間に、着信情報消去部１５が上述した所定の条件に該当する着信情報を着信情報格納エリア１０ａから消去する処理を挿入することも可能である。即ち、ステップＳ１及びステップＳ２における判断結果がいずれも「YES」であった場合に、着信情報消去部１５が着信情報格納エリア１０ａ内に消去すべき着信情報があるか否かを所定の条件と照らし合わせて判断するようにしてもよい。
【００２９】
なお、図１に示した本実施形態における携帯端末を構成する各部は、それぞれ、専用のハードウェアにより実現されるものであってもよく、また、メモリおよびＣＰＵ（中央演算装置）により構成され、上記の各部の機能を実現するためのプログラムをメモリに記録して、このメモリに記録されたプログラムをＣＰＵがロードして実行することによりその機能を実現させるものであってもよい。
また、上記プログラムは、前述した機能の一部を実現するためのものであっても良い。さらに、前述した機能を携帯端末を構成するメモリに既に記録されている種々のプログラムとの組み合わせで実現できるもの、いわゆる差分ファイル（差分プログラム）であっても良い。
【００３０】
以上、この発明の実施形態を図面を参照して詳述してきたが、具体的な構成はこの実施形態に限られるものではなく、この発明の要旨を逸脱しない範囲の設計等も含まれる。
例えば、位置情報取得部１１２については、ＧＰＳ以外にセルの範囲が狭いＰＨＳ（登録商標）方式でも十分な精度で位置情報を取得することができる。
【００３１】
【発明の効果】
以上説明したように、本発明の携帯端末によれば、着信情報を保持している旨を通知する位置情報を設定するための設定手段と、着信情報を保持する着信保持手段と、端末の位置情報を取得する位置情報取得手段と、前記位置情報取得手段により取得された位置情報が前記設定手段により設定された位置情報に一致した場合に、前記着信保持手段に保持されている着信情報を通知する通知手段と、を備えるので、携帯端末の状態が設定手段によって設定された特定の位置にあると判断された場合には、不在着信を自動的に通知することが可能となる。
このように、ユーザが着信情報を確認できる可能性が高い場所（位置）で通知することにより、利用者が不在着信に気付く機会が多くなり、不在着信通知の効果を高めることができる。
【図面の簡単な説明】
【図１】  本発明の一実施形態に係る携帯端末の機能ブロック図である。
【図２】  本発明の一実施形態に係る携帯端末の動作を示すフローチャートである。
【符号の説明】
１０…メモリ、１０ａ…着信情報格納エリア（着信保持手段）、１０ｂ…通知条件格納エリア、１０ｃ…消去条件格納エリア、１０ｄ…通知設定格納エリア、１１…状態判断部（判断手段）、１２…着信判断部、１３…通知部（通知手段）、１４…着信検出部、１５…着信情報消去部（着信情報消去手段）、１６…設定部（設定手段）、１１１…充電状態検出部（充電状態検出手段）、１１２…位置情報取得部（位置情報取得手段）、１３１…ＬＥＤ、１３２…スピーカ、１３３…振動モータ、１５１…操作検出部、１５２…計時部
【図１】
0003816389.tif 000002
【図２】
0003816389.tif 000003